(57)【特許請求の範囲】
【請求項１】
レース伸縮用スパンデックス糸を挿入した経編伸縮レース地の裏側に、滑り止め用スパンデックス糸を４コースから５０コースごとに同一ウェールまたは１ウェールあるいは２ウェール移動させて挿入し、前記レース伸縮用スパンデックス糸に前記滑り止め用スパンデックス糸よりも強い張力をかけることによって前記滑り止め用スパンデックス糸をパイル状に突出させた滑り止め機能付き伸縮細巾ラッセルレース。
【請求項２】
前記滑り止め用スパンデックス糸を、４コースから５０コース毎に１ウェール右方向に移動しながら１コース挿入させ、その後２ウェール左方向に移動しながら１コース挿入させた後、元のウェールに戻りながら１コース挿入するという動作を繰り返し全てのパイル状突出を右方向に統一して傾かせた請求項１に記載の滑り止め機能付き伸縮細巾ラッセルレース。
【請求項３】
前記滑り止め用スパンデックス糸を、４コースから５０コース毎に１ウェール左方向に移動しながら１コース挿入させ、その後２ウェール右方向に移動しながら１コース挿入させた後、元のウェールに戻りながら１コース挿入するという動作を繰り返し全てのパイル状突出を左方向に統一して傾かせた請求項１に記載の滑り止め機能付き伸縮細巾ラッセルレース。
【発明の詳細な説明】
【０００１】
【発明の分野】
この発明は、滑り止め機能付き伸縮細巾ラッセルレースに関する。
【従来の技術】
【０００２】
例えば図１０のストッキングの１０の斜線部分にレースを使用するとレースでは縮む力が弱い為滑り落ちやすく、ずれ落ちやすかった。したがってレースの裏に滑り止めの樹脂、例えばシリコンを線状又は帯状に接着した商品が開発された。しかしこれは、シリコン樹脂の触感に違和感をとなえる人やかぶれをおこす人の苦情が多かった。また洗濯するにつれて滑り止め効果がおちたり、コスト高になる不利があった。
【０００３】
また細巾テープに太いゴムを折り込んで滑り止め効果を求めるものも開発されたが、巾が限定されたり、無地のテープ状の物であるためデザインの発展性に乏しいという不利があった。
【０００４】
また普通のレースでは、滑り止め効果が付いてない為、ガーターベルト等が必要であった。よってこれらの悪い点を解消した滑り止め機能の付いてるレースが求められていた。
【０００５】
また裏面にパイルを形成するレースとしては特許第２７３５７８３号があるが、スパンデックスの様な高伸縮糸ではパイルを形成することが出来なかった。ましてやパイルを同じ大きさに統一させることは不可能なことであった。またパイルの傾く方向を統一させることもできなかった。
【０００６】
【発明の課題】
上記の問題を解決した滑り止め機能付き伸縮ラッセルレースを提供することである。
【０００７】
【課題を解決するための手段】
上記の課題を解決するために、この発明においては、レース伸縮用スパンデックス糸を挿入した経編伸縮レース地の裏側に、滑り止め用スパンデックス糸を４コースから５０コースごとに同一ウェールまたは１ウェールあるいは２ウェール移動させて挿入し、前記レース伸縮用スパンデックス糸に前記滑り止め用スパンデックス糸よりも強い張力をかけることによって前記滑り止め用スパンデックス糸をパイル状に突出させたのである。
また、前記滑り止め用スパンデックス糸を、４コースから５０コース毎に１ウェール右方向に移動しながら１コース挿入させ、その後２ウェール左方向に移動しながら１コース挿入させた後、元のウェールに戻りながら１コース挿入するという動作を繰り返し全てのパイル状突出を右方向に統一して傾かせることができる。
さらに、前記滑り止め用スパンデックス糸を、４コースから５０コース毎に１ウェール左方向に移動しながら１コース挿入させ、その後２ウェール右方向に移動しながら１コース挿入させた後、元のウェールに戻りながら１コース挿入するという動作を繰り返し全てのパイル状突出を左方向に統一して傾かせることができる。
【０００８】
【実施の形態】
以下、この発明の実施形態の１例を添付図面に基づいて説明する。図１のＡがレース地の１経糸の図、Ｂがレース地の１経糸と３  レース伸縮用のスパンデックス挿入糸を記入した図、Ｃがレース地の１経糸と４滑り止め挿入糸を記入した図、Ｄが１経糸と２緯糸を記入した図、Ｅがレース地の図、つまりＡ、Ｂ、Ｃ、Ｄを合わせた図だが２緯糸を記入すると図が非常に見にくいので省いた。１は経糸で鎖編をしている。２は緯糸であり各ウェールを適宜連結させる糸である。１経糸に２緯糸を挿入させることにより連結させている。３のレース伸縮用のスパンデックス挿入糸は、レースを伸縮させる為に挿入されている。１経糸に３レース伸縮用のスパンデックス挿入糸を同一ウェールに毎コース挿入させることにより伸縮性をだしている。４の滑り止め挿入糸（スパンデックス糸）は、滑り止め効果をもたらす為に挿入されている。３のレース伸縮用のスパンデックス挿入糸の張力を強く、４の滑り止め挿入糸（スパンデックス糸）の張力を弱くすることで、編地にパイルを形成する。但し２緯糸の構造は図１のＤに記入されてる構造とは限らない。また３レース伸縮用のスパンデックス挿入糸を毎コース挿入するとは限らないし、毎ウェール挿入するとも限らない。４の滑り止め挿入糸（スパンデックス糸）の構造も図１の構造とは限らない。
【０００９】
しかし従来の技術では、伸縮編レース地に伸縮性のない糸を挿入することでパイル状に形成にすることは可能であったが、高伸縮糸でパイルを形成することは不可能であった。なぜなら通常パイルを形成する場合、レース伸縮用のスパンデックス挿入糸とパイル形成糸は同じ張力で挿入するか、パイル形成糸を消極的に挿入する方法しかなかったからである。しかしこの発明で使用される４滑り止め挿入糸（スパンデックス糸）は高伸縮糸である為、４滑り止め挿入糸（スパンデックス糸）の糸長が上記方法で挿入すると部分部分で極端に変化する。つまり４滑り止め挿入糸（スパンデックス糸）が伸びている時に挿入された部分の糸の長さと、縮んだときに挿入された部分の糸の長さが極端に異なる為、一定のパイルの大きさに統一することが不可能である為である。
【００１０】
よってこの発明のレースでは３レース伸縮用のスパンデックス挿入糸、４滑り止め挿入糸（スパンデックス糸）の糸の供給部分にそれぞれ積極送り装置を取り付けることにより、それぞれの糸の張力をコントロールすることを可能にした。４滑り止め挿入糸（スパンデックス糸）の張力を弱く、３レース伸縮用のスパンデックス挿入糸の張力を強く、常に一定に管理することにより高伸縮糸によるパイル地の形成が可能になった。但し１経糸、２緯糸にも積極送り装置を取り付ける方がレースの柄が美しくなる為好ましい。
【００１１】
図１の場合、経糸に挿入された３滑り止め挿入糸は１６コース後、１つ右隣の経糸に挿入され、その１６コース後、もとの経糸に挿入されるという動作をくり返している。１経糸にはナイロン、エステル等が使用され、２緯糸にはナイロン、エステル、キュプラ、綿、テトロン等が使用される。４滑り止め挿入糸にはスパンデックス糸等の高伸縮糸が使用される。挿入糸の太さは７０デニールから９００デニールまで可能だが、特に４２０デニール以上から８４０デニールまでが好ましい。実際は通常のラッセルレースと同じように図１１の様にレース地の表側に柄糸を挿入して柄を形成したり、ピコット形成糸を挿入してピコットを形成したりする。図１１は緯糸を記入すると図が非常に見にくいので省いた。また例えば図１２のように４滑り止め挿入糸を１６コース毎に１ウェール右方向に移動しながら１コース挿入させ、その後２ウェール左方向に移動しながら１コース挿入させた後、元のウェールに戻りながら１コース挿入させるという動作を繰り返すと全てのパイルを図１３のように右方向に統一して傾かせることが出来る。これにより肌触りが良くなり、見た目も美しくなる。図１２、図１３とも緯糸を記入すると図が非常に見にくいので省いた。
【００１２】
この発明のレースを取り付けたストッキングを着用し、レースをずらしてみた。図２はこの発明の滑り止め機能付き伸縮ラッセルレースの柄糸ピコット形成糸を省いた側面図を表わし、図３、図４、図５はこの発明の滑り止め機能付き伸縮ラッセルレースを裏から見た状態の図である。図３はレースを動かしていない状態の図で、図４、図５は６レースをずらした方向へずらした状態の図である。レースの裏側の４滑り止め挿入糸は５矢印１の回転方向に回転しながら、また１１矢印２方向に引っ張られながら伸びている。そしてある一定地点まで伸びるとポリウレタンのゴムの様な特性が働き、図５の８矢印３ように回転した部分は逆回転して元に戻ろうとするし、伸ぴた部分も９矢印４の方向に戻ろうとする為、レース自体が７レースの戻ろうとする力の方向にもどろうとする。よって滑り止めの役割を十分に発揮するレースができた。
【００１３】
また図６、図７は滑り止め機能付き伸縮細巾ラッセルレース断面図であり、図６は全てのウェールに滑り止め挿入糸を挿入した図で、図７は１ウェールおきに滑り止め挿入糸を挿入した図である。図６の様に全ウェールに挿入するより、図７の様に１ウェールおきに挿入する方が、図７の様に４滑り止め挿入糸と隣の挿入糸との間に間隔があく為、溝の様な凹凸ができ、肌に３滑り止め挿入糸が食い込み、より滑り止め効果が高くなった。但し４滑り止め挿入糸を２ウェールおきに挿入しても構わない。
【００１４】
また普通のポリウレタン糸の断面図は、図８のように円形をしているが、図９の様な長方形型のポリウレタン糸の４滑り止め挿入糸を使用して上記実験をすると肌と４滑り止め挿入糸の接着する面積が大きくなるためより肌と密着し、また長方形型の為ポリウレタンが回転せず４滑り止め挿入糸が滑ること無く引っ張られレースのずれがダイレクトに４滑り止め挿入糸に伝わる為、より滑り止め効果が高くなった。
【００１５】
【発明の効果】
この発明の滑り止めレースによればかぶれにくく、低コストで、デザインの発展性にも優れ、しかも洗濯しても効果が落ちない滑り止めレースができた。
【図面の簡単な説明】
【図１】この発明の滑り止め機能付き伸縮細巾ラッセルレースの柄糸とピコット形成糸を省いたレース地の組織図。
【図２】この発明の滑り止め機能付き伸縮細巾ラッセルレースの柄糸とピコット形成糸を省いた側面図。
【図３】この発明の滑り止め機能付き伸縮細巾ラッセルレースの柄糸とピコット形成糸を省いた裏面図。
【図４】この発明の滑り止め機能付き伸縮細巾ラッセルレースをずらした時の柄糸とピコット形成糸を省いた裏面図。
【図５】この発明の滑り止め機能付き伸縮細巾ラッセルレースをずらした時の柄糸とピコット形成糸を省いた裏面図。
【図６】この発明の滑り止め機能付き伸縮細巾ラッセルレースの４滑り止め挿入糸を毎ウェール挿入したレース地の柄糸とピコット形成糸を省いた正面図。
【図７】この発明の滑り止め機能付き伸縮細巾ラッセルレースの４滑り止め挿入糸を１ウェールおきに挿入したレース地の柄糸とピコット形成糸を省いた正面図。
【図８】通常のポリウレタンの断面図。
【図９】長方形型のポリウレタンの断面図。
【図１０】ストッキングの図。
【図１１】この発明の滑り止め機能付き伸縮細巾ラッセルレースの緯糸を省いたレース地の組織図。
【図１２】この発明の滑り止め機能付き伸縮細巾ラッセルレースの緯糸を省いたレース地の組織図。
【図１３】この発明の滑り止め機能付き伸縮細巾ラッセルレースの裏面図。
【符号の説明】
１  経糸
２  緯糸
３  レース伸縮用のスパンデックス挿入糸
４  滑り止め挿入糸
５  矢印１
６  レースをずらした方向
７  レースの戻ろうとする力の方向
８  矢印３
９  矢印４
１０  レースを使用する部分
１１  矢印２
１２  柄糸
１３  ピコット形成糸
【図１】
0004056219.tif 000002
【図２】
0004056219.tif 000003
【図３】
0004056219.tif 000004
【図４】
0004056219.tif 000005
【図５】
0004056219.tif 000006
【図６】
0004056219.tif 000007
【図７】
0004056219.tif 000008
【図８】
0004056219.tif 000009
【図９】
0004056219.tif 000010
【図１０】
0004056219.tif 000011
【図１１】
0004056219.tif 000012
【図１２】
0004056219.tif 000013
【図１３】
0004056219.tif 000014